(57)【要約】【課題】画像の表示と、情報の提供とを同時に行い、外部の装置に情報を伝達することができるプロジェクター、表示装置、及び、情報伝達方法を提供する。【解決手段】プロジェクター１は、レーザー光源４２，４３と、レーザー光源４２，４３が発する光を変調して画像光を出力する光変調装置２２と、光変調装置２２により出力される画像光を投射する投射光学系２３とを備える。また、プロジェクター１は、情報を取得する情報取得部１４と、情報取得部１４が取得する情報に基づいてレーザー光源４２，４３の輝度を制御する発光制御部１８とを備える。【選択図】図２
2016224324.tif 000002
【特許請求の範囲】
【請求項１】
固体光源と、
前記固体光源が発する光を変調して画像光を出力する光変調部と、
前記光変調部により出力される画像光を投射する投射部と、
情報を取得する情報取得部と、
前記情報取得部が取得する情報に基づいて、前記固体光源の輝度を変化させる固体光源制御部と、
を備えることを特徴とするプロジェクター。
【請求項２】
前記固体光源制御部は、前記固体光源の輝度を、最低値輝度と、前記最低値輝度よりも高輝度の最高値輝度と、前記最低値輝度と前記最高値輝度との間の輝度である調光値輝度とに設定可能であり、
前記固体光源制御部は、前記固体光源の輝度を前記最低値輝度とする状態と、前記最高値輝度とする状態と、前記調光値輝度とする状態との組み合わせで前記情報を出力することを特徴とする請求項１に記載のプロジェクター。
【請求項３】
前記固体光源制御部は、前記最低値輝度とすることで同期信号を出力することを特徴とする請求項２に記載のプロジェクター。
【請求項４】
前記最低値輝度は、０ルーメンであることを特徴とする請求項２又は３に記載のプロジェクター。
【請求項５】
前記固体光源制御部は、前記固体光源の輝度をＰＷＭ制御により制御し、
前記ＰＷＭ制御によって前記固体光源の輝度を前記最低値輝度にする場合に前記固体光源の発光をオフにする時間を、前記固体光源の輝度を前記最高値輝度にする場合、及び、前記固体光源の輝度を前記調光値輝度にする場合よりも長くしたことを特徴とする請求項２ないし４のいずれかに記載のプロジェクター。
【請求項６】
前記固体光源制御部が前記固体光源の輝度を前記最低値輝度とする場合の前記画像光の輝度は、前記固体光源の輝度が前記最高値輝度である場合に前記光変調部が前記画像光の輝度を最も低輝度に制御する場合の前記画像光の輝度よりも低いことを特徴とする請求項２ないし５のいずれかに記載のプロジェクター。
【請求項７】
前記固体光源制御部は、前記固体光源の輝度を制御することにより、前記情報取得部が取得する情報を構成する単位情報を出力することを特徴とする請求項１ないし６のいずれかに記載のプロジェクター。
【請求項８】
固体光源を有するバックライトを備え、前記バックライトが発する光により画像を表示する表示装置において、
情報を取得する情報取得部と、
前記情報取得部が取得する情報に基づいて、前記固体光源の輝度を制御する固体光源制御部を備えること、
を特徴とする表示装置。
【請求項９】
固体光源を有するバックライトを備え、前記バックライトが発する光により画像を表示する表示装置による情報伝達方法であって、
伝達する情報を取得し、
取得した情報に基づいて前記固体光源の輝度を制御し、
前記固体光源の輝度の変化で前記情報を伝達すること、
を特徴とする情報伝達方法。
【発明の詳細な説明】
【技術分野】
【０００１】
本発明は、プロジェクター、表示装置、及び、情報伝達方法に関する。
【背景技術】
【０００２】
近年、情報提供の手段として、光や映像の中に情報を埋め込んでユーザーに提供する技術が知られている。例えば非特許文献１には、ＬＥＤ照明が発する光の中に、その光が照射される物に関する情報を埋め込み、光が照射された物にスマートフォンのカメラを向けて情報を読み取る技術が開示されている。また、例えば特許文献１には、投射画像の輝度値または色差値の少なくとも一方を変化させることで、情報を画像内に埋め込むことにより情報を伝達する技術が開示されている。
【先行技術文献】
【特許文献】
【０００３】
【特許文献１】特開２０１４−１３１１９５号公報
【非特許文献】
【０００４】
【非特許文献１】ＦＵＪＩＴＳＵ  ＪＯＵＲＮＡＬ、[online]、２０１４年１２月３日、インターネット＜ＵＲＬ：http://journal.jp.fujitsu.com/2014/12/03/02＞
【発明の概要】
【発明が解決しようとする課題】
【０００５】
上述したように光の輝度値等により情報を伝達する手法を表示装置に適用する場合、表示装置が情報を伝達するための光を変化させることで、表示する画像の表示状態が影響を受ける。このため、画像の表示と情報の伝達とを同時に行うことは困難であった。そこで、例えば特許文献１に開示の技術では、表示装置の表示画面を４つの領域に分割し、４分割された領域のそれぞれにおいて輝度値または色差値を変化させることで、埋め込まれた情報が画像の視聴に与える影響を軽減する。この手法では、情報を伝達するために複雑で高度な処理を行う必要があり、実現は容易でなかった。
本発明は上記事情に鑑みてなされたものであり、画像の表示と、情報の提供とを同時に行い、外部の装置に情報を伝達することができるプロジェクター、表示装置、及び、情報伝達方法を提供することを目的とする。
【課題を解決するための手段】
【０００６】
上記目的を達成するために、本発明のプロジェクターは、固体光源と、前記固体光源が発する光を変調して画像光を出力する光変調部と、前記光変調部により出力される画像光を投射する投射部と、情報を取得する情報取得部と、前記情報取得部が取得する情報に基づいて、前記固体光源の輝度を変化させる固体光源制御部と、を備えることを特徴とする。
本発明によれば、画像の表示と、情報の提供とを同時に行うことができ、画像光の輝度を検出可能な装置によって、この表示装置が出力する情報を容易に取得できる。従って、表示装置から外部の装置に対し、情報を伝達できる。
【０００７】
また、上記プロジェクターにおいて、前記固体光源制御部は、前記固体光源の輝度を、最低値輝度と、前記最低値輝度よりも高輝度の最高値輝度と、前記最低値輝度と前記最高値輝度との間の輝度である調光値輝度とに設定可能であり、前記固体光源制御部は、前記固体光源の輝度を前記最低値輝度とする状態と、前記最高値輝度とする状態と、前記調光値輝度とする状態との組み合わせで前記情報を出力することを特徴とする。
本発明によれば、固体光源の輝度を制御することによって、より多くの情報を送信することができる。
【０００８】
また、上記プロジェクターにおいて、前記固体光源制御部は、前記最低値輝度とすることで同期信号を出力することを特徴とする。
本発明によれば、固体光源の輝度を最低値輝度とすることで同期信号を出力し、情報の伝達に係る同期制御を確実に行うことができる。
【０００９】
また、上記プロジェクターにおいて、前記最低値輝度は、０ルーメンであることを特徴とする。
本発明によれば、情報伝達のために画像光の輝度を低下させた状態が０ルーメンであるので、光変調部が画像を表示するために輝度を変化させた状態を、外部の装置によって、より明確に区別できるので、より確実な情報伝達が可能となる。
【００１０】
また、上記プロジェクターにおいて、前記固体光源制御部は、前記固体光源の輝度をＰＷＭ制御により制御し、前記ＰＷＭ制御によって前記固体光源の輝度を前記最低値輝度にする場合に前記固体光源の発光をオフにする時間を、前記固体光源の輝度を前記最高値輝度にする場合、及び、前記固体光源の輝度を前記調光値輝度にする場合よりも長くしたことを特徴とする。
本発明によれば、固体光源の輝度制御による情報伝達をより簡単に制御できる。
【００１１】
また、上記プロジェクターにおいて、前記固体光源制御部が前記固体光源の輝度を前記最低値輝度とする場合の前記画像光の輝度は、前記固体光源の輝度が前記最高値輝度である場合に前記光変調部が前記画像光の輝度を最も低輝度に制御する場合の前記画像光の輝度よりも低いことを特徴とする。
本発明によれば、固体光源を制御することで、光変調部により画像光の輝度を低下させた場合とは異なる輝度を実現できる。このため、画像の表示に伴う輝度変化と、情報の伝達のための輝度の変化とを、情報を取得する外部の装置が区別できる。従って、表示装置が画像を表示する動作と、外部の装置に情報を伝達する動作とを実行できる。
【００１２】
また、上記プロジェクターにおいて、前記固体光源制御部は、前記固体光源の輝度を制御することにより、前記情報取得部が取得する情報を構成する単位情報を出力することを特徴とする。
本発明によれば、前記情報を単位情報ごとに出力することができるので、情報伝達がより確実となる。
【００１３】
また、本発明の表示装置は、固体光源を有するバックライトを備え、前記バックライトが発する光により画像を表示する表示装置において、情報を取得する情報取得部と、前記情報取得部が取得する情報に基づいて、前記固体光源の輝度を制御する固体光源制御部を備えること、を特徴とする。
本発明によれば、画像の表示と、情報の提供とを同時に行うことができ、画像光の輝度を検出可能な外部の装置によって、この表示装置が出力する情報を容易に取得できる。
【００１４】
また、本発明の情報伝達方法は、固体光源を有するバックライトを備え、前記バックライトが発する光により画像を表示する表示装置による情報伝達方法であって、伝達する情報を取得し、取得した情報に基づいて前記固体光源の輝度を制御し、前記固体光源の輝度の変化で前記情報を伝達すること、を特徴とする。
本発明によれば、画像の表示と、情報の提供とを同時に行うことができ、画像光の輝度を検出可能な装置に対して表示装置から情報を容易に伝達できる。
【図面の簡単な説明】
【００１５】
【図１】本実施形態のプロジェクターの概略構成を示す図。
【図２】プロジェクターの構成を示すブロック図。
【図３】携帯端末の構成を示すブロック図。
【図４】プロジェクターの動作を示すフローチャート。
【図５】プロジェクターが投射画像の輝度を変化させる動作の説明図であり、（Ａ）は輝度変化の一例を示し、（Ｂ）はプロジェクターが記憶する変換テーブルを示す。
【図６】レーザー光源を制御するパルス電流のタイミングチャートの一例を示す図。
【図７】携帯端末の動作を示すフローチャート。
【図８】輝度変化をエリアごとに発生させる例を示す図であり、（Ａ）は表示領域を複数の領域に分割してエリアを設ける例を示し、（Ｂ）は表示領域の一部に輝度変化を発生させるエリアを設ける例を示し、（Ｃ）は無信号状態のときに輝度変化を発生させる例を示す。
【発明を実施するための形態】
【００１６】
以下、添付図面を参照して本発明の実施形態について説明する。
図１に、本実施形態のプロジェクター１（表示装置）の概略構成を示す。本実施形態のプロジェクター１は、図２を参照して説明するように、携帯端末１００や、図示しないＰＣ等のコンピューター、各種画像プレーヤー等の外部の画像供給装置（図示略）に接続されるＩ／Ｆ（インターフェイス）１１を備える。プロジェクター１は、上記の画像供給装置からインターフェイス１１に入力されるデジタル画像データに基づく投射画像Ｐを、スクリーンＳＣに投射する。
画像供給装置からプロジェクター１に入力される画像データは、動画像（映像）データであってもよいし、静止画像データであってもよい。プロジェクター１は、動画像をスクリーンＳＣに投射することも、静止画像をスクリーンＳＣに投射することもできる。
【００１７】
インターフェイス１１は、有線ケーブルを接続可能な構成とすることも可能であるが、本実施形態では無線通信可能な無線通信インターフェイスとして構成される。インターフェイス１１は、携帯端末１００などの画像供給装置との間で、無線通信回線を確立し、この無線通信回線によって各種データを送受信する。この無線通信方式には、例えば無線ＬＡＮ（Local Area Network）、Ｂｌｕｅｔｏｏｔｈ（登録商標）、ＵＷＢ（Ultra Wide Band）、赤外線通信等の近距離無線通信方式や、携帯電話回線を利用した無線通信方式を採用できる。プロジェクター１は、図示は省略するが、複数の画像供給装置に接続して、これらの画像供給装置と通信することができる構成であっても良い。
【００１８】
図２は、プロジェクター１の構成の一例を示すブロック図である。図２に示すように、プロジェクター１は、光学的な画像の形成を行う投射装置２０と、この投射装置２０に入力される画像信号を電気的に処理する画像処理系とを備え、これらの各部は制御部１０の制御に従って動作する。
投射装置２０は、光源部２１、光変調装置２２（光変調部）、及び投射光学系２３（投射部）を備える。光源部２１は、ＬＥＤ（Light Emitting Diode）等の発光素子やレーザー素子を用いた、パルス信号により輝度をＰＷＭ制御可能な固体光源を備える。本実施形態では、青色レーザー光を発する２つの青色半導体レーザー素子を用いたレーザー光源４２、４３を、固体光源として備える構成を例示する。レーザー光源４２、４３は、複数の半導体素子を備え、それぞれの半導体素子からレーザー光を発するものであってもよい。また、光源部２１は、レーザー光源４２、４３の出射光を走査させる光走査素子（図示略）、出射光の光学特性を高めるためのレンズ群（図示略）、光量を低減させる調光部（図示略）等を備えてもよい。
【００１９】
光変調装置２２は、後述する画像処理系からの信号を受けて、光源部２１が発した光を変調して画像光を生成し、精製した画像光を出力する。光変調装置２２の具体的な構成としては、例えば、ＲＧＢの各色に対応した３枚の透過型または反射型の液晶ライトバルブを用いた方式が挙げられる。本実施形態では、ＲＧＢの３色の色光に対応した３枚の透過型の液晶パネル、すなわち青色光（Ｂ）を変調する液晶パネル２２ａ、赤色光（Ｒ）を変調する液晶パネル２２ｂ、及び、緑色光（Ｇ）を変調する液晶パネル２２ｃを備えた構成とする。光変調装置２２が備える液晶パネル２２ａ、２２ｂ、２２ｃは、後述する液晶パネルドライバー３３によって駆動され、各液晶パネルにマトリクス状に配置された各画素における光の透過率を変化させることにより、画像を形成する。
光変調装置２２により変調されたＲＧＢの各色光は、図示しないクロスダイクロイックプリズムにより合成されて、投射光学系２３に導かれる。
【００２０】
投射光学系２３は、光変調装置２２で変調された光をスクリーンＳＣに投射して、投射画像Ｐ（図１）を結像させるためのレンズ群等を備える。また、投射光学系２３は、投射光学系駆動部３４に備えられたモーター３７によって図示しないレンズ群が駆動されることにより、ズーム調整、フォーカス調整及び絞り調整を実行する。投射光学系駆動部３４は、制御部１０の制御に従って投射光学系２３を駆動する。投射光学系２３は、手動の操作によりレンズ群を動かしてズーム調整、フォーカス調整及び絞り調整が行われる構成であってもよい。投射光学系２３によりスクリーンＳＣに画像を投射可能な領域を、表示領域とする。図１には、表示領域全体に投射画像Ｐが投射される例を示すが、投射画像Ｐを表示領域の一部に投射することも勿論可能である。
【００２１】
光源部２１は、青色レーザー光を発する青色半導体レーザー素子を用いたレーザー光源４２及び４３を備える。また、光源部２１は、制御部１０に従ってレーザー光源４２、４３をそれぞれ制御するレーザー光源ドライバー６２、６３を備える。また、光源部２１は、制御部１０の制御に従ってレーザー光源ドライバー６２、６３に対して電流値を設定する電流値設定部６１を備える。光源部２１は、色光を拡散させる拡散板４４、入射する色光を所定の色の色光に変換する蛍光体ホイール４５、及び入射した色光を所定の色の色光に分離する分光部４６を備える。そして、光源部２１は、レーザー光源４２、４３の発光を制御するパルス信号Ｓ５、Ｓ６を出力する光源駆動部５０に接続される。
【００２２】
電流値設定部６１は、制御部１０から入力される制御情報に従って、レーザー光源ドライバー６２とレーザー光源ドライバー６３とに対して共通の電流値を設定する。電流値設定部６１は、レーザー光源ドライバー６２、６３の各々に個別に電流値を設定するものであってもよいが、本実施形態では共通の電流値を設定する。
レーザー光源ドライバー６２は、プロジェクター１の電源回路（図示略）から供給される電源をもとに、光源駆動部５０から入力されるパルス信号Ｓ５に同期し、電流値設定部６１が設定した電流値を有するパルス電流Ｓ７を生成する。レーザー光源ドライバー６２は、生成したパルス電流Ｓ７をレーザー光源４２に供給する。
レーザー光源ドライバー６３は、プロジェクター１の電源回路（図示略）から供給される電源をもとに、光源駆動部５０から入力されるパルス信号Ｓ６に同期し、電流値設定部６１が設定した電流値を有するパルス電流Ｓ８を生成する。レーザー光源ドライバー６３は生成したパルス電流Ｓ８をレーザー光源４３に供給する。
【００２３】
従って、パルス電流Ｓ７、Ｓ８のパルスのオン期間の長さ（パルス幅）、オフ期間の長さ、及び、パルスの周期は、光源駆動部５０から入力されるパルス信号Ｓ５、Ｓ６により決定される。また、パルス電流Ｓ７、Ｓ８の電流値は、制御部１０が決定し、決定された電流値を電流値設定部６１が設定する。
【００２４】
パルス電流Ｓ７、Ｓ８は、レーザー光源４２、４３の点灯／消灯をＰＷＭ（Pulse Width Modulation）制御する電流である。レーザー光源４２、４３は、このパルス電流Ｓ７、Ｓ８のパルスがオンの期間に点灯し、パルスがオフの期間には消灯する。パルス電流Ｓ７、Ｓ８はパルスのオン／オフが高速に切り替わる信号であるため、レーザー光源４２、４３は点灯と消灯を高速で繰り返し、レーザー光源４２、４３の輝度は点灯時間と消灯時間の比により決定される。従って、電流値設定部６１は、パルス電流Ｓ７、Ｓ８のパルスがオンの期間とオフの期間の比によって、レーザー光源４２、４３の輝度を調整できる。
【００２５】
レーザー光源４２は、レーザー光源ドライバー６２により出力されるパルス電流Ｓ７により駆動して青色レーザー光４２ａを発し、この青色レーザー光４２ａは拡散板４４に入射して拡散される。拡散板４４で拡散されたレーザー光は青色光２０ａとして液晶パネル２２ａに入射し、変調される。一方、レーザー光源４３は、レーザー光源ドライバー６３により出力されるパルス電流Ｓ８により駆動して、レーザー光源４２と同様に青色レーザー光４３ａを発する。青色レーザー光４３ａは、蛍光体ホイール４５の蛍光体に入射して黄色光４５ａに変換され、変換された黄色光４５ａは分光部４６に入射する。分光部４６は、入射した黄色光４５ａを波長成分により赤色光２０ｂと緑色光２０ｃとに分離し、分離された赤色光２０ｂ及び緑色光２０ｃは、それぞれ液晶パネル２２ｂ及び液晶パネル２２ｃに入射する。そして、液晶パネル２２ａ、２２ｂ、２２ｃにより変調された画像光は上述のように投射光学系２３により合成され、スクリーンＳＣに投射される。
【００２６】
光源駆動部５０は、ＰＷＭ設定部５１、ＰＷＭ信号生成部５２、及びリミッター５３を備える。光源駆動部５０は、制御部１０から入力される制御信号Ｓ１に従ってレーザー光源ドライバー６２、６３を制御し、レーザー光源４２、４３をＰＷＭ制御することにより、レーザー光源４２、４３の点灯／消灯や輝度の調整を実行する。ＰＷＭ設定部５１は、制御部１０から入力される制御信号Ｓ１に従って、パルス周波数を指定するＰＷＭ周波数信号Ｓ２と、パルス幅を指定するオン期間指定信号Ｓ３とを生成して出力する。ＰＷＭ信号生成部５２は、ＰＷＭ設定部５１から入力されるＰＷＭ周波数信号Ｓ２及びオン期間指定信号Ｓ３に従って、レーザー光源４２、４３を点灯させるパルスを有するＰＷＭ信号Ｓ４を生成して出力する。ここで、ＰＷＭ信号生成部５２は、レーザー光源４２を制御するためのＰＷＭ信号Ｓ４ａと、レーザー光源４３を制御するためのＰＷＭ信号Ｓ４ｂとを個別に生成して出力することも可能である。ＰＷＭ信号生成部５２が出力したＰＷＭ信号Ｓ４は、リミッター５３に入力される。リミッター５３は、ＰＷＭ信号Ｓ４に含まれるパルスのうち、パルス幅が予め設定された値より小さいパルスをカットするフィルターであり、パルス信号Ｓ５、Ｓ６を光源部２１のレーザー光源ドライバー６２、６３に出力する。
【００２７】
上記のように、レーザー光源ドライバー６２、６３は、パルス信号Ｓ５、Ｓ６のパルスがオンに立ち上がるとレーザー光源４２、４３を点灯させ、パルスがオフに下がるとレーザー光源４２、４３を消灯させる。リミッター５３は、設定された値のパルス幅より小さいパルスをカットすることにより、パルス信号Ｓ５、Ｓ６において、レーザー光源４２、４３の点灯及び消灯が追従できないほど小さいパルス幅のパルスが出力されることを防止する。これにより、レーザー光源４２、４３を、指定された輝度で安定して発光させることができる。
【００２８】
また、プロジェクター１は、上述したインターフェイス１１を備え、映像入力部１２、及び変換処理部１３を備える。インターフェイス１１を介して映像入力部１２に入力された画像データは、変換処理部１３によって解像度変換などのスケーリング処理が実行され、制御部１０に出力される。
【００２９】
プロジェクター１は、画像処理系として、プロジェクター１全体を制御する制御部１０を備える。また、プロジェクター１は、制御部１０が処理するデータや制御部１０が実行する制御プログラムを記憶した記憶部１５を備える。また、プロジェクター１は、図示しないリモコンや操作パネルによる操作を検出する操作検出部１６を備える。また、プロジェクター１は、画像データを処理する画像処理部３１、及び画像処理部３１から出力される画像信号に基づいて光変調装置２２の液晶パネル２２ａ、２２ｂ、２２ｃを駆動して描画を行う液晶パネルドライバー３３を備える。
制御部１０は、記憶部１５に記憶された制御プログラムを読み出して実行することにより、プロジェクター１の各部を制御する。制御部１０は、操作検出部１６によって検出されユーザーが行った操作を示す操作情報に基づいて、画像処理部３１、液晶パネルドライバー３３、投射光学系駆動部３４、及び光源駆動部５０を制御して、スクリーンＳＣに投射画像Ｐを投射させる。
【００３０】
操作検出部１６は、プロジェクター１を操作するリモコン（図示略）が送信する無線信号を受信してデコードし、リモコンにおける操作を検出する機能、及び、プロジェクター１の操作パネル（図示略）におけるボタン操作を検出する機能を有する。操作検出部１６は、リモコンや操作パネルにおける操作を示す操作信号を生成して、制御部１０に出力する。また、操作検出部１６は、制御部１０の制御に従い、プロジェクター１の動作状態や設定状態に応じて、プロジェクター１に設けられている図示しないインジケーターランプの点灯状態を制御する。
【００３１】
画像処理部３１は、制御部１０の制御に従って、変換処理部１３が出力した画像データを取得して、画像サイズ、解像度、静止画像か動画像であるか、動画像である場合はフレームレート等の画像データの属性などを判定する。そして、画像処理部３１は、フレーム毎にフレームメモリー３２に画像を展開する。また、画像処理部３１は、取得した画像データの解像度が光変調装置２２の液晶パネル２２ａ、２２ｂ、２２ｃの表示解像度と異なる場合には解像度変換処理を行う。また、画像処理部３１は、リモコンや操作パネルの操作により、操作検出部１６がズームを示す操作情報を検出した場合には拡大／縮小処理を行って、これらの処理後の画像をフレームメモリー３２に展開する。その後、画像処理部３１は、フレームメモリー３２に展開したフレーム毎の画像を表示信号として液晶パネルドライバー３３に出力する。
【００３２】
制御部１０は、記憶部１５に記憶された制御プログラムを実行することにより、投射制御部１７、発光制御部１８（固体光源制御部）、情報取得部１４、及び補正制御部１９として機能する。
投射制御部１７は、操作検出部１６が検出した操作に従って、プロジェクター１の各部を初期化する。また、投射制御部１７は、光源駆動部５０を制御してレーザー光源４２、４３を点灯させ、画像処理部３１及び液晶パネルドライバー３３を制御して、液晶パネル２２ａ、２２ｂ、２２ｃに画像を描画させて、画像光をスクリーンＳＣに投射させる。この画像光はスクリーンＳＣにおいて投射画像Ｐを形成する。また、投射制御部１７は、投射光学系駆動部３４を制御して、モーター３７の動作によりフォーカス調整、ズーム調整、絞り調整等を実行させる。
【００３３】
発光制御部１８は、制御信号Ｓ１、Ｓ１１を生成して、光源駆動部５０に出力する。制御信号Ｓ１は、パルス信号Ｓ５、Ｓ６のパルス幅、パルス周期またはパルスがオフになる期間のうち少なくとも２つを指定する情報を含む。発光制御部１８は、制御信号Ｓ１によって、レーザー光源４２、４３の点灯期間と消灯期間との比を調整することで、レーザー光源４２、４３の輝度を調整する。
情報取得部１４は、記憶部１５に予め記憶された情報、あるいは、操作検出部１６によって検出されたユーザー操作に応じた情報を取得する。詳細については後述するが、発光制御部１８は、情報取得部１４の機能により取得した情報に基づいてレーザー光源４２、４３の輝度を調整する。
【００３４】
補正制御部１９は、プロジェクター１に対するスクリーンＳＣの傾き（投射角）及びスクリーンＳＣまでの投射距離を算出し、台形歪み補正等の補正処理を実行する。補正制御部１９は、算出した投射角及び投射距離に基づいて、画像処理部３１を制御し、フレームメモリー３２に展開する画像を変形させることによって、スクリーンＳＣの投射画像Ｐの歪みを補正して、矩形の良好な画像を表示する。補正制御部１９は、図示しないセンサーなどによりスクリーンＳＣの投射画像Ｐの形状の乱れを検出した場合や、操作パネル（図示略）の操作により補正実行が指示された場合等に、投射角と投射距離を算出する。また、補正制御部１９は、補正用のパラメーターを算出し、算出したパラメーターに従って投射画像Ｐを補正する処理を実行する。
【００３５】
次に、プロジェクター１に画像を供給する画像供給装置としての携帯端末１００について説明する。
図３は、携帯端末１００の構成を示すブロック図である。なお、理解の便宜のため図３にはプロジェクター１を合わせて図示する。
携帯端末１００は、図３に示すように、携帯端末１００の各部を制御する制御部１２０を備える。制御部１２０は、図示しないＣＰＵ（Central Processing Unit）、ＲＯＭ（Read Only Memory）、ＲＡＭ（Random Access Memory）等を備える。制御部１２０は、ＲＯＭに記憶した基本制御プログラムをＣＰＵにより実行して、携帯端末１００を制御する。また、制御部１２０は、記憶部１３０に接続され、記憶部１３０に記憶された各種プログラムを実行することにより各種機能を実行する。
【００３６】
記憶部１３０は、フラッシュメモリー、ＥＥＰＲＯＭ（Electronically Erasable and Programmable Read Only Memory）等の不揮発性の記憶装置であり、制御部１２０に接続する。記憶部１３０には、携帯端末１００をプロジェクター１に接続するためのアプリケーションプログラム１３１を含む各種プログラムや、画像データ１３２が記憶される。
また、携帯端末１００は、アンテナやＲＦ（Radio Frequency）回路（不図示）等を備える無線通信部１４０を備える。無線通信部１４０は、制御部１２０によって制御され、プロジェクター１との間で無線通信方式に準じて各種データを送受信する。
【００３７】
また、携帯端末１００は、カメラ１５０を備える。カメラ１５０は、ＣＣＤやＣＭＯＳ等の撮像素子を備え、制御部１２０の制御に従って撮像を実行し、撮像画像データを制御部１２０に出力する。
【００３８】
プロジェクター１に携帯端末１００を接続する場合、携帯端末１００が、プロジェクター１に無線接続するための情報（例えば、ＩＰアドレスであるが、これに限られない）を取得し、取得した情報に基づきプロジェクター１に対する無線接続を試行する。これにより携帯端末１００とプロジェクター１との間で無線通信が可能となり、携帯端末が画像データをプロジェクター１に送信できる。
本実施形態では、携帯端末１００がプロジェクター１に無線接続するための情報を、プロジェクター１がスクリーンＳＣに投射する画像光の輝度を変化させることで、送信する。携帯端末１００は、スクリーンＳＣの投射画像Ｐの輝度、或いは輝度の変化を検出することで、情報を取得する。
【００３９】
図４は、プロジェクター１の動作を示すフローチャートであり、特に、ＩＰアドレス等の情報を携帯端末１００に伝達する場合の動作を示す。図４の動作は、本発明の情報伝達方法の実施態様に相当する。
【００４０】
制御部１０は、記憶部１５からプロジェクター１のＩＰアドレスを読み出して、接続情報として取得する（ステップＳＴ１）。
続いて、制御部１０は、取得した接続情報を符号化する（ステップＳＴ２）。制御部１０は続いて、符号化した接続情報に基づいて、発光制御部１８の機能によりレーザー光源４２、４３の輝度を変化させる（ステップＳＴ３）。
本実施形態のプロジェクター１は、電源がオンにされた後、または、電源がオンにされ操作検出部１６により携帯端末１００との通信開始が指示された後、図４に示すステップＳＴ１〜Ｓ３の動作を繰り返し実行する。プロジェクター１は、ステップＳＴ１〜Ｓ３の動作を、画像を投射しているか否かに係らず実行してもよい。
【００４１】
図５は、プロジェクター１が投射画像Ｐの輝度を変化させる動作の説明図であり、（Ａ）は輝度変化の一例を示し、（Ｂ）はプロジェクターが記憶する変換テーブルを示す。
図５（Ａ）の縦軸はスクリーンＳＣに形成される投射画像Ｐの輝度を示し、この輝度はプロジェクター１が投射する画像光の輝度と考えることができる。また、図５（Ａ）の横軸は時間の経過を示す。
【００４２】
制御部１０は、レーザー光源４２、４３の輝度を、最高値輝度Ａ、調光値輝度Ｂ、及び、最低値輝度Ｃの、少なくとも３段階に設定可能である。最高値輝度Ａは、例えば、制御部１０が光源駆動部５０を制御することにより、レーザー光源４２、４３の輝度を調整可能な範囲において最も高い輝度である。最低値輝度Ｃは、例えば、制御部１０が光源駆動部５０を制御することにより、レーザー光源４２、４３の輝度を調整可能な範囲において最も低い輝度である。例えば、最低値輝度Ｃを０ルーメンとすることができる。また、調光値輝度Ｂは、例えば、最高値輝度Ａと最低値輝度Ｃとの間の輝度値である。なお、最高値輝度Ａ及び最低値輝度Ｃは、レーザー光源４２、４３の輝度を調整可能な範囲の最高値及び最低値に限定されず、下記式（１）の関係が成立すればよい。
最高値輝度Ａ＞調光値輝度Ｂ＞最低値輝度Ｃ  …（１）
さらに、好ましくは、携帯端末１００が、後述するようにスクリーンＳＣを撮像した撮像画像またはスクリーンＳＣの反射光を検出する場合に、最高値輝度Ａと、調光値輝度Ｂと、最低値輝度Ｃとを識別可能であればよい。
また、制御部１０は、レーザー光源４２、４３の輝度を、最高値輝度Ａ、調光値輝度Ｂ、及び、最低値輝度Ｃの３段階に限らず、より細かく設定可能であってもよく、制御部１０が設定可能な輝度のうち少なくとも３つを情報伝達に利用する構成とすればよい。
【００４３】
制御部１０は、取得した情報を構成する１または複数の単位情報を、画像光の輝度の組合せで構成されるパターンに変換する。例えば、伝達する情報が、「１９２」、「１６８」、「０」、「１１１」の１０桁の数字である場合に、制御部１０は各桁の数字を１つの単位情報とする。制御部１０は、１つの単位情報を、記憶部１５に予め記憶する変換テーブル１５１を用いてパターンに変換する。
【００４４】
図５（Ｂ）は、変換テーブル１５１の一例を模式的に示す図である。変換テーブル１５１は、プロジェクター１が出力（送信）する情報を構成する単位情報と、画像光の輝度の組合せとを、例えば１対１で対応付ける。単位情報は、数字やアルファベット、記号等が挙げられる。画像光の輝度は、最高値輝度Ａ、調光値輝度Ｂ、及び最低値輝度Ｃで表される。図５（Ｂ）の例では、最高値輝度Ａと調光値輝度Ｂとの組合せを利用する。例えば、数字の「１」は輝度「ＡＡＡＡ」に変換され、数字の「９」は輝度「ＢＡＡＢ」に変換され、数字の「２」は輝度「ＡＡＡＢ」に変換される。輝度を組み合わせる数は４つに限定されず、変換したい単位情報の数に合わせて選択されればよい。例えば輝度Ａと輝度Ｂを４つ組み合わせることで、４ビットの二進数と同様に、１６通りの単位情報に対応付けることが可能である。変換テーブル１５１を参照して制御部１０が単位情報を画像光の組合せに変換する処理は、符号化ということができる。つまり、上述したステップＳＴ２において、制御部１０は、送信する情報を変換テーブル１５１に基づいて変換し符号化する。そして、発光制御部１８は、符号化された画像光の輝度の通りに、レーザー光源４２、４３の輝度を設定し、或いは変化させ、経時的に情報を送信する。
【００４５】
図５（Ａ）には、輝度の組合せ「ＡＡＡＢ」、「ＢＡＡＢ」、「ＡＡＢＡ」を出力する例を示す。１つの単位情報に相当する輝度の組合せの開始時には、図中に符号ＳＳで示すように、画像光の輝度が輝度Ｃに調整される。つまり、輝度Ｃは、単位情報の出力開始を示す同期信号として機能する。
【００４６】
図５（Ａ）に示すように、レーザー光源４２、４３の輝度の変化により、プロジェクター１が投射する画像光の輝度が変化すると、スクリーンＳＣの投射画像Ｐの明るさも変化する。しかしながら、発光制御部１８がレーザー光源４２，４３の輝度を設定する長さ、すなわち図５（Ａ）において輝度「Ａ」または輝度「Ｂ」を１回保持する時間の長さを、人間の視覚により輝度変化を知覚可能な時間よりも十分に短くすればよい。この場合、投射画像Ｐの明るさが変化する周期が短いため、投射画像Ｐを見ているユーザーに、投射画像Ｐの色調の変化や明るさのふらつきを感じさせないように情報を伝達できる。従って、プロジェクター１は、スクリーンＳＣに投射中の投射画像Ｐの視認性に顕著な影響を与えることなく、接続情報を送信することができる。なお、少なくとも、１つの単位情報に相当する輝度の組合せが送信されている間は、液晶パネルドライバー３３が液晶パネル２２ａ、２２ｂ、２２ｃを駆動するための駆動信号は変化しないものとする。
【００４７】
なお、制御部１０は、変換テーブル１５１を用いずに符号化を行うことも可能である。例えば、ＩＰアドレス（ＩＰｖ４対応）は、３２ビットの二進数として表現することもできる。そこで、二進数の０を輝度Ａに対応付け、二進数の１を輝度Ｂに対応付けることにより、ＩＰアドレスをそのまま輝度に変換（符号化）できる。また、制御部１０は、予め記憶部１５に記憶する演算式により符号化を行ってもよい。
【００４８】
発光制御部１８は、レーザー光源４２、４３に対して供給されるパルス電流Ｓ７、Ｓ８の周期、パルス幅、およびパルスのオフ期間の長さを調整することで、レーザー光源４２、４３の輝度を変化させ、目標の輝度（例えば、輝度Ａ、輝度Ｂ）を実現できる。上述のようにＰＷＭ制御を行う場合、パルス信号Ｓ５、Ｓ６のパルスのオン期間およびオフ期間は、レーザー光源４２、４３の点灯期間と消灯期間とみなしてよい。この発光制御部１８の動作について詳述する。
【００４９】
図６は、レーザー光源４２、４３の点灯を制御するパルス電流Ｓ７、Ｓ８のタイミングチャートである。
発光制御部１８は、レーザー光源４２、４３に対して供給されるパルス電流Ｓ７、Ｓ８の周期、パルス幅、およびパルスのオフ期間の長さｔの少なくとも一つを変化させてレーザー光源４２、４３の輝度を調整する。ここで、パルス電流の電流値は、定格電流の電流値に設定され、波形の高さは電流値の大きさを示す。また、実際には、レーザー光源ドライバー６２、６３の特性により、電流波形は図６に示すような矩形波とならず、曲線を描くこともあるが、ここでは理解の便宜を図るために矩形波として図示する。
【００５０】
本実施形態では、レーザー光源４２、４３の輝度を変化させるため、発光制御部１８は、パルス電流のパルス幅を、Ｗ１、Ｗ２と変化させる制御を行う。パルス幅Ｗ１は、予め設定されたパルス幅の上限値であり、発光制御部１８がパルス電流Ｓ７、Ｓ８をパルス幅Ｗ１にする場合、レーザー光源４２、４３の輝度は最高値輝度Ａとなる。また、パルス幅Ｗ２は、パルス幅Ｗ１よりも狭い所定幅に予め設定される。発光制御部１８がパルス電流Ｓ７、Ｓ８のパルス幅をＷ２とする場合、レーザー光源４２、４３の輝度は、最大値輝度Ａよりも低輝度の調光値輝度Ｂとなる。
【００５１】
また、発光制御部１８は、パルスのオフ期間の長さｔを変化させる制御を行う。図中に示す長さｔ１は、レーザー光源４２、４３の輝度を所定時間、最低値輝度Ｃとするために予め設定された長さである。つまり、発光制御部１８がパルスのオフ期間の長さｔを長さｔ１にする場合、レーザー光源４２、４３の輝度が所定時間、最低値輝度Ｃとなる。最低値輝度Ｃはレーザー光源４２、４３の輝度を最も低くする場合の輝度であり、最も単純な例ではレーザー光源４２、４３を消灯させる場合の輝度である。
【００５２】
最低値輝度Ｃは、図５（Ａ）に示したように、制御部１０が送信する情報のトリガーとして用いられる。情報の送信開始のタイミング、及び、連続する複数の単位情報を連続して送信する場合の単位情報の区切りに相当するタイミングで用いられる。
オフ期間の長さｔ１は、レーザー光源４２、４３の輝度を最高値輝度Ａ、又は、調光値輝度Ｂにする際のパルス電流Ｓ７、Ｓ８の１周期内でのオフ期間の長さｔ２よりも長い時間に設定される。
【００５３】
また、発光制御部１８は、情報送信開始時にオフ期間を長さｔ１とし、かつ、単位情報の区切りのタイミングでオフ期間を長さｔ３にしてもよい。この長さｔ３は、長さｔ１よりも短く設定される。つまり、情報送信開始を示すトリガーと、単位情報の区切りとで、オフ期間の長さを異ならせてもよい。この場合の長さｔ３は、長さｔ２よりも長くても良いし、長さｔ２と同じ長さであっても良い。発光制御部１８は、オフ期間ｔ２＝０とすることで、レーザー光源４２、４３の輝度を最高値輝度Ａに制御してもよい。
【００５４】
このように、プロジェクター１は、レーザー光源４２、４３の輝度を制御させることで、投射画像Ｐの明るさを制御し、情報を送信する。このように送信される情報を携帯端末１００が受信する方法として、例えば、投射画像Ｐの明るさを携帯端末１００が検出する方法がある。
図７は、携帯端末１００の動作を示すフローチャートであり、プロジェクター１が送信する情報を携帯端末１００が取得する動作を示す。
【００５５】
携帯端末１００の制御部１２０は、予めインストールされたアプリケーションプログラム１３１を実行することで、図７の処理を行う。アプリケーションプログラム１３１は、プロジェクター１の接続情報を読み取るためのプログラムであり、輝度の変化によって送信される符号化された接続情報を復元する機能を具備する。
ユーザーが携帯端末１００を操作して、プロジェクター１の接続情報の読み取りの指示を入力すると、制御部１２０はアプリケーションプログラム１３１を記憶部から読み出して実行し、図７の動作を開始する。
【００５６】
プロジェクター１が図４に示す動作を行っている間に、携帯端末１００を使用するユーザーが携帯端末１００のカメラ１５０をスクリーンＳＣに向けて、撮像を指示する。携帯端末１００の制御部１２０は、撮像の指示に従い、カメラ１５０による撮像を開始させる（ステップＳＴ１１）。この後、制御部１２０はカメラ１５０による撮像を、所定周期で繰り返し実行して、撮像を行うごとに撮像画像データを取得する。カメラ１５０の撮像の周期は、例えば図５（Ａ）及び図６に示したレーザー光源４２、４３の輝度の変化を検出可能な周期であり、具体的には、図６の時間ｔ１、ｔ２、ｔ３のいずれよりも短い周期であることが好ましい。
【００５７】
制御部１２０は、カメラ１５０の撮像画像データを取得して記憶部１３０に蓄積し、複数の撮像画像データを比較して解析することにより、レーザー光源４２、４３の輝度の変化を検出する（ステップＳＴ１２）。すなわち、制御部１２０は、撮像画像データに写る投射画像Ｐの明るさ、または、明るさの変化を検出する。制御部１２０は、レーザー光源４２、４３の輝度が最低値輝度Ｃとなったこと、すなわち同期信号を検出したか否かを判定し（ステップＳＴ１３）、同期信号を検出しない間は（ステップＳＴ１３；ＮＯ）、ステップＳＴ１２の動作を行う。
【００５８】
同期信号を検出した場合（ステップＳＴ１３；ＹＥＳ）、制御部１２０は、同期信号より後に、撮像画像データから検出した投射画像Ｐの明るさの変化をもとに、単位情報を検出する（ステップＳＴ１４）。
その後、制御部１２０は、プロジェクター１が送信する情報を構成する全ての単位情報を検出したか否かを判定する（ステップＳＴ１５）。ステップＳＴ１５では、例えば、同期信号を検出した場合、或いは、同一の単位情報の組合せを複数回検出した場合に、全ての単位情報を検出したと判定できる。
【００５９】
全ての単位情報を検出していないと判定した場合（ステップＳＴ１５；ＮＯ）、制御部１２０はステップＳＴ１４に戻る。
全ての単位情報を検出したと判定した場合（ステップＳＴ１５；ＹＥＳ）、制御部１２０は、単位情報を復号して、情報（ここではＩＰアドレス）を生成する（ステップＳＴ１６）。ステップＳＴ１４で制御部１２０が検出する単位情報は符号化されている。携帯端末１００は、記憶部１３０に、予め、符号化された単位情報を復号するための変換テーブル、或いは演算式を記憶する。例えば、変換テーブル１５１による変換の逆の変換を行う変換テーブルを記憶部１３０に記憶すれば、このテーブルを用いて復号を行うことができる。
【００６０】
制御部１２０は、生成した情報すなわちプロジェクター１の接続情報に基づいて、プロジェクター１との無線接続を確立する（ステップＳＴ１７）。
【００６１】
プロジェクター１は、スクリーンＳＣの表示領域全体、または投射画像Ｐ全体の輝度を変化させる構成に限らず、他の輝度変化の態様を採用してもよい。
図８は、輝度変化を表示領域に設けるエリアごとに発生させる例を示す図である。図８（Ａ）は表示領域を複数の領域に分割してエリアを設ける例を示し、図８（Ｂ）は表示領域の一部に輝度変化を発生させるエリアを設ける例を示し、図８（Ｃ）は無信号状態のときに輝度変化を発生させる例を示す。
【００６２】
図８（Ａ）の例では、制御部１０が投射画像Ｐを４つの領域Ｐ１〜Ｐ４に分割し、領域Ｐ１〜Ｐ４のそれぞれについて、領域毎に輝度を変化させる。この構成によれば、それぞれの領域の輝度を個別に制御することで、同時に複数の情報を送信し、情報送信時間を短くすることができる。なお、スクリーンＳＣ上の表示領域を分割する数は任意である。
【００６３】
また、図８（Ｂ）に示すように、投射画像Ｐにおいて複数の情報送信領域Ｐ１１〜Ｐ１４を設け、それぞれの情報送信領域Ｐ１１〜Ｐ１４の輝度を変化させることで、情報を送信してもよい。この場合、情報送信領域を、表示領域の四隅等、目立たない箇所に配置すれば、画像の投射中に情報送信する場合の、画像の若干のちらつき等の見た目の違和感を、より少なくすることができる。
【００６４】
また、図８（Ｃ）に示すように、プロジェクター１は、画像を投射していない時、つまり画像信号の入力が無く、無信号状態となった場合や、特定のメニュー画面の投射時に、自動的に情報を送信しても良い。この場合、図８（Ａ）に示したように、表示領域を複数の領域に分割して領域ごとに輝度を変化させてもよい。この構成によれば、画像投射時における投射画像Ｐの若干のちらつき等の見た目の違和感を少なくすることができる。
【００６５】
以上説明したように、本実施形態のプロジェクター１は、固体光源であるレーザー光源４２，４３と、光変調装置２２と、投射装置２０と、情報を取得する情報取得部１４と、固体光源の輝度を制御する発光制御部１８と、を備える。発光制御部１８は、情報取得部１４が取得した情報に基づいて、固体光源の輝度を制御する。この構成によれば、固体光源の輝度を制御することで、画像の表示と、情報の提供とを同時に行うことができる。そして、プロジェクター１が投射する投射画像Ｐを、携帯端末１００が有するカメラ１５０で撮像して読み取ることで、携帯端末１００に手作業で情報を入力することなく、容易に情報を伝達できる。
【００６６】
また、上記プロジェクター１において発光制御部１８は、レーザー光源４２，４３の輝度を、最低値輝度Ｃと、最低値輝度Ｃよりも高輝度の最高値輝度Ａと、最低値輝度Ｃと最高値輝度Ａとの間の輝度である調光値輝度Ｂとに設定可能であり、発光制御部１８は、レーザー光源４２，４３の輝度を最低値輝度Ｃとする状態と、最高値輝度Ａとする状態と、調光値輝度Ｂとする状態との組み合わせで情報を出力してもよい。この構成によれば、レーザー光源４２，４３の輝度を制御することによって、より多くの情報を送信することができる。
【００６７】
また、上記プロジェクター１において、発光制御部１８は、最低値輝度Ｃとすることで同期信号を出力してもよい。この構成によれば、固体光源の輝度を最低値輝度とすることで同期信号を出力し、情報の伝達に係る同期制御を確実に行うことができる。
【００６８】
また、上記プロジェクター１において、最低値輝度Ｃは、０ルーメンであってもよい。この構成によれば、情報伝達のために画像光の輝度を低下させた状態が０ルーメンであるので、光変調装置２２が画像を表示するために輝度を変化させた状態を、外部の装置によって、より明確に区別できるので、より確実な情報伝達が可能となる。
【００６９】
また、上記プロジェクター１において、発光制御部１８は、レーザー光源４２，４３の輝度をＰＷＭ制御により制御し、このＰＷＭ制御によってレーザー光源４２，４３の輝度を最低値輝度Ｃにする場合にレーザー光源４２，４３の発光をオフにする時間を、レーザー光源４２，４３の輝度を最高値輝度Ａにする場合、及び、レーザー光源４２，４３の輝度を調光値輝度Ｂにする場合よりも長くしてもよい。この構成よれば、レーザー光源４２，４３の輝度制御による情報伝達をより簡単に制御できる。
【００７０】
また、上記プロジェクター１において、発光制御部１８がレーザー光源４２，４３の輝度を最低値輝度Ｃとする場合の画像光の輝度は、レーザー光源４２，４３の輝度が最高値輝度Ａである場合に光変調装置２２が画像光の輝度を最も低輝度に制御する場合の画像光の輝度よりも低くてもよい。この構成によれば、レーザー光源４２，４３を制御することで、光変調装置２２により画像光の輝度を低下させた場合とは異なる輝度を実現できる。このため、画像の表示に伴う輝度変化と、情報の伝達のための輝度の変化とを、情報を取得する外部の装置が区別できる。従って、プロジェクター１が画像を表示する動作と、外部の装置に情報を伝達する動作とを実行できる。
【００７１】
また、上記プロジェクター１において、発光制御部１８は、レーザー光源４２，４３の輝度を制御することにより、情報取得部１４が取得する情報を構成する単位情報を出力しても良い。この構成によれば、情報を単位情報ごとに出力することができるので、情報伝達がより確実となる。
【００７２】
上述した実施形態は、本発明の好適な実施形態である。但し、これに限定されるものではなく、本発明の要旨を逸脱しない範囲内において種々の変形実施が可能である。例えば、プロジェクター１が送信する情報は、ＩＰアドレスに限定されないし、接続情報にも限定されない。例えば、ユーザーの操作によって指定された情報を、プロジェクター１が送信してもよい。また、上記実施形態では、発光制御部１８の制御によりレーザー光源４２、４３の輝度を変化させることで、投射光すなわち画像光の輝度を変化させて情報を送信する方法について説明したが、これに限らず、パネルＢ、パネルＲ、パネルＧで輝度を変化させ構成であっても良い。また、投射光学系２３が、ＤＭＤ（Digital Mirror Device）などの表示デバイスを備え、当該表示デバイスにより投射光の輝度を変化させる構成であっても良い。また、上記実施形態では、輝度を３段階の階調で変化させて情報を送信する構成について説明したが、これに限らず、輝度の階調を４階調以上の複数段階設けることで、情報送信時間を短くしても良い。また、予めプロジェクター１側で、情報を０，１等の数値にエンコードして、エンコードした情報を輝度変化により送信し、数字や記号だけでなく文字情報も送信可能な構成としても良い。
また、上記実施形態では、画像光の輝度の変化によって情報を送信する構成を示したが、色の変化によって情報を送信可能な構成であっても良い。この場合、人の目では識別できない程度の色の変化とすることで、ユーザーに違和感を抱かせずに情報を送信できる。
【００７３】
また、例えば、上記実施形態では、スクリーンＳＣの前方から投射するフロントプロジェクション型のプロジェクター１を表示装置の一例として示したが、本発明はこれに限定されない。例えば、スクリーンＳＣの背面側から投射するリアプロジェクション（背面投射）型のプロジェクターを表示装置として採用できる。
また、液晶表示パネルに画像を表示する液晶モニターまたは液晶テレビを表示装置として採用してもよい。ＰＤＰ（プラズマディスプレイパネル）、ＣＲＴ（陰極線管）ディスプレイ、ＳＥＤ（Surface-conduction Electron-emitter Display）等を表示装置として用いてもよい。これらの表示装置において、固体光源をバックライトとし、バックライトが発する光に基づき画像を表示する構成とした場合に、固体光源の輝度を制御することで本発明を適用し、表示装置によって情報を伝達できる。
【００７４】
また、ＯＬＥＤ（Organic light-emitting diode）、ＯＥＬ（Organic Electro Luminescence）ディスプレイ等と呼ばれる有機ＥＬ表示パネルに画像を表示するモニター装置またはテレビ受像機等の自発光型の表示装置を採用してもよい。これらの表示装置を備えた構成において本発明を適用した場合も、上記実施形態と同様に、有用な効果が得られる。
また、本発明の入力装置は、上記各実施形態では、入力装置として、ユーザーが手に持って操作する小型の装置である携帯端末１００を例に挙げて説明したが、本発明はこれに限定されない。投射光の輝度変化を認識できるカメラや輝度センサーを備えた端末であれば本発明を適用可能であり、例えば携帯型ゲーム機、音楽や映像を再生する携帯型再生装置等を入力装置とすることができる。
【００７５】
また、図２及び図３に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、プロジェクター１の他の各部の具体的な細部構成についても、本発明の趣旨を逸脱しない範囲で任意に変更可能である。
【符号の説明】
【００７６】
１…プロジェクター（表示装置）、１０…制御部、１４…情報取得部、１５…記憶部、１７…投射制御部、１８…発光制御部（固体光源制御部）、２０…投射装置、２１…光源部、２２…光変調装置（光変調部）、２３…投射光学系（投射部）、３１…画像処理部、３２…フレームメモリー、３３…液晶パネルドライバー、３４…投射光学系駆動部、４２…レーザー光源（固体光源）、４３…レーザー光源（固体光源）、５０…光源駆動部、５１…ＰＷＭ設定部、５２…ＰＷＭ信号生成部、６１…電流制御部、１００…携帯端末、１２０…制御部、１３０…記憶部、１３１…アプリケーションプログラム、１３２…画像データ、１４０…無線通信部、１５０…カメラ、１５１…変換テーブル、Ａ…最高値輝度、Ｂ…調光値輝度、Ｃ…最低値輝度、ＳＣ…スクリーン。
【図１】
2016224324.tif 000003
【図２】
2016224324.tif 000004
【図３】
2016224324.tif 000005
【図４】
2016224324.tif 000006
【図５】
2016224324.tif 000007
【図６】
2016224324.tif 000008
【図７】
2016224324.tif 000009
【図８】
2016224324.tif 000010